【手続補正書】
【提出日】平成23年11月8日(2011.11.8)
【手続補正１】
【補正対象書類名】特許請求の範囲
【補正対象項目名】全文
【補正方法】変更
【補正の内容】
【特許請求の範囲】
【請求項１】
本体の前面に設けられ、画像が記録された記録媒体を排出する排出口と、
前記本体の上面、および背面の少なくとも一部を構成する上面パネル部材と、
押圧操作される操作子と、を備え、
前記上面パネル部材は、前記本体の上面を構成する前記上面パネル部材の上面に、前記操作子が収められるとともに底部に前記操作子を貫通する孔が形成された凹部のスイッチ穴、前記上面パネル部材の上面を貫通する肉盗み穴、及び前記スイッチ穴と前記肉盗み穴とを覆うウレタンエラストマー製のシートが設けられることを特徴とする画像記録装置。
【請求項２】
前記シートの裏面は、前記スイッチ穴の周囲に接着固定されるとともに、前記操作子の上面は前記シートの裏面に接離可能である請求項１記載の画像記録装置。
【請求項３】
前記本体の上面は、前記本体の設置面に対して前記本体の前面側が高く背面側が低い傾斜面であり、
前記上面パネル部材の上面は、前記スイッチ穴の背面側の裏面に厚肉部を設け、
前記肉盗み穴は、前記スイッチ穴より下方の前記厚肉部に位置する請求項１または２記載の画像記録装置。
【請求項４】
前記操作子は、前記画像記録装置の電源のオンとオフとを切り替える電源スイッチの操作部である請求項１から３のいずれか１項に記載の画像記録装置。
【請求項５】
記録媒体に画像を記録して、本体の前面に設けられた排出口から前記記録媒体を排出する画像記録装置の防水構造であって、
前記本体の上面、および背面の少なくとも一部を構成する上面パネル部材の前記本体の上面に相当する位置に、押圧操作される操作子が収められるとともに底部に前記操作子を貫通する孔が形成された凹部のスイッチ穴、前記上面パネル部材の上面を貫通する肉盗み穴、及び前記スイッチ穴と前記肉盗み穴とを覆うウレタンエラストマー製のシートが配設されたことを特徴とする画像記録装置の防水構造。
【請求項６】
本体の上面および背面を構成する上面パネル部材のスイッチ穴の底部及び前記スイッチ穴の背面側に肉盗み穴が形成された厚肉部の形状に対応した金型で、前記上面パネル部材を樹脂成形し、
前記パネル部材が樹脂成形された後、前記金型を前記背面に対して略垂直に離型し、
前記スイッチ穴と前記肉盗み穴とを覆うウレタンエラストマー製のシートを前記上面パネル部材の上面に接着することを特徴とするパネル部材の製造方法。
【手続補正２】
【補正対象書類名】明細書
【補正対象項目名】０００４
【補正方法】変更
【補正の内容】
【０００４】
上記課題を解決するため、本発明は、本体の前面に設けられ、画像が記録された記録媒体を排出する排出口と、前記本体の上面、および背面の少なくとも一部を構成する上面パネル部材と、押圧操作される操作子と、を備え、前記上面パネル部材は、前記本体の上面を構成する前記上面パネル部材の上面に、前記操作子が収められるともに底部に前記操作子を貫通する孔が形成された凹部のスイッチ穴、前記上面パネル部材の上面を貫通する肉盗み穴、及び前記スイッチ穴と前記肉盗み穴とを覆うウレタンエラストマー製のシートが設けられることを特徴とする画像記録装置を提供する。
この構成によれば、本体の上面および背面の少なくとも一部を構成する上面パネル部材を備えた構成において、押しボタンスイッチの操作子を収めるスイッチ穴および肉盗み穴をウレタンエラストマー製のシートによって覆うことで、操作子および肉盗み穴への液体の浸入を防止できるとともに、耐久性および可撓性に富むウレタンエラストマーのシートを用いることで、操作時のストローク量が大きい操作子であっても十分に押し込むことができ、良好な操作感で操作できる。これにより、画像記録装置が備える押しボタン式の操作子の操作性を損なうことなく、簡単な構成によって防水できる。また、ストローク量の大きい操作子を収容するためのスイッチ穴を設けた上面パネルを金型による成形で形成するために、ヒケ防止用の肉盗み穴を設けた構成において、スイッチ穴とともに肉盗み穴を容易に防水できるので、画像記録装置の加工性を損なうことなく、防水性を確保できる。そして、スイッチ穴が設けられた上面パネル部材は、画像記録装置本体の上面および背面の少なくとも一部を構成するものなので、スイッチ穴と肉盗み穴とを防水することによって、画像記録装置の上面全体を防水することができ、簡単な構成によって画像記録装置の防水性能を大幅に高めることができる。
【手続補正３】
【補正対象書類名】明細書
【補正対象項目名】０００６
【補正方法】変更
【補正の内容】
【０００６】
また、前記本体の上面は、前記本体の設置面に対して前記本体の前面側が高く背面側が低い傾斜面であり、前記上面パネル部材の上面は、前記スイッチ穴の背面側の裏面に厚肉部を設け、前記肉盗み穴は、前記スイッチ穴よりも下方の前記厚肉部に位置する構成としても良い。
この場合、スイッチ穴と、このスイッチ穴より下方に位置して、液体が流れる場合の下流側に位置する肉盗み穴を、シートによって容易に、かつ確実に防水できる。
さらに、前記操作子は、前記画像記録装置の電源のオンとオフとを切り替えるための電源スイッチの操作部であっても良い。
この場合、電源スイッチを簡単かつ交換等の修理が容易な構造によって防水できる。また、誤操作を防止するため深い押し込み量に設定されることが多い電源スイッチに対応して、操作性を損なうことなく、防水構造を適用できる。
【手続補正４】
【補正対象書類名】明細書
【補正対象項目名】０００７
【補正方法】変更
【補正の内容】
【０００７】
また、本発明は、記録媒体に画像を記録して、本体の前面に設けられた排出口から前記記録媒体を排出する画像記録装置の防水構造であって、前記本体の上面、および背面の少なくとも一部を構成する上面パネル部材の前記本体の上面に相当する位置に、押圧操作される操作子が収められるとともに底部に前記操作子を貫通する孔が形成された凹部のスイッチ穴、前記上面パネル部材の上面を貫通する肉盗み穴、及び前記スイッチ穴と前記肉盗み穴とを覆うウレタンエラストマー製のシートが配設されたことを特徴とする画像記録装置の防水構造を提供する。
この構成によれば、本体の上面および背面の少なくとも一部を構成する上面パネル部材を備えた構成において、押しボタンスイッチの操作子を収めるスイッチ穴および肉盗み穴をウレタンエラストマー製のシートによって覆うことで、操作子および肉盗み穴への液体の浸入を防止できるとともに、耐久性および可撓性に富むウレタンエラストマーのシートを用いることで、操作時のストローク量が大きい操作子であっても十分に押し込むことができ、良好な操作感で操作できる。これにより、画像記録装置が備える押しボタン式の操作子の操作性を損なうことなく、簡単な構成によって防水できる。また、ストローク量の大きい操作子を収容するためのスイッチ穴を設けた上面パネルを金型による樹脂成形で形成するため、ヒケ防止用の肉盗み穴を設けた構成において、スイッチ穴とともに肉盗み穴を容易に防水できるので、画像記録装置の加工性を損なうことなく、防水性を確保できる。そして、上面パネル部材は画像記録装置本体の上面および背面の少なくとも一部を構成するものなので、スイッチ穴と肉盗み穴とを防水することによって、画像記録装置の上面全体を防水することができ、簡単な構成によって画像記録装置の防水性能を大幅に高めることができる。
また、本発明は、本体の上面および背面を構成する上面パネル部材のスイッチ穴の底部及び前記スイッチ穴の背面側に肉盗み穴が形成された厚肉部の形状に対応した金型で、前記上面パネル部材を樹脂成形し、前記パネル部材が樹脂成形された後、前記金型を前記背面に対して略垂直に離型し、前記スイッチ穴と前記肉盗み穴とを覆うウレタンエラストマー製のシートを前記上面パネル部材の上面に接着することを特徴とする。